(57)【要約】各加入者に割り当てるためのパイロット搬送波の数を適応的に割り当てる方法及び装置を提供する。本発明は、複数の端末機と基地局を含み、前記端末機のそれぞれが少なくとも一つのサブチャンネルを通じて基地局に接続する直交周波数分割多重接続(ＯＦＤＭＡ)通信システムで該当するサブチャンネルにパイロット搬送波を基地局によって割り当てる方法において、サブチャンネルの状態を判断する過程と、サブチャンネルの状態がよい場合にはサブチャンネルに対して予め設定されたパイロット搬送波の数を減少させて割り当てる過程と、サブチャンネルの状態がよくない場合にはサブチャンネルに対して設定されたパイロット搬送波の数を増加させて割り当てる過程とを含むことを特徴とする。
2005520432.tif 000002
【特許請求の範囲】
【請求項１】
複数の端末機と基地局を含み、前記端末機のそれぞれが少なくとも一つのサブチャンネルを通じて前記基地局に接続する直交周波数分割多重接続(ＯＦＤＭＡ)通信システムで該当するサブチャンネルにパイロット搬送波を前記基地局によって割り当てる方法において、
前記サブチャンネルの状態を判断する過程と、
前記サブチャンネルの状態がよい場合には前記サブチャンネルに対して予め設定されたパイロット搬送波の数を減少させて割り当てる過程と、
前記サブチャンネルの状態がよくない場合には前記サブチャンネルに対して前記設定されたパイロット搬送波の数を増加させて割り当てる過程とを含むことを特徴とする方法。
【請求項２】
前記サブチャンネルの状態は前記サブチャンネルを通じて受信されるパイロット搬送波のビット誤り率を測定することにより判断される請求項１記載の方法。
【請求項３】
前記サブチャンネルの状態は前記サブチャンネルを通じて受信されるパイロット搬送波の電力を測定することにより判断される請求項１記載の方法。
【請求項４】
複数の端末機と基地局を含み、前記端末機のそれぞれが少なくとも一つのサブチャンネルを通じて前記基地局に接続する直交周波数分割多重接続(ＯＦＤＭＡ)通信システムで該当するサブチャンネルにパイロット搬送波を前記基地局によって割り当てる方法において、
前記サブチャンネルの状態を判断する過程と、
前記サブチャンネルの状態がよい場合には前記サブチャンネルに対して予め設定されたパイロット搬送波の数を減少させる過程と、
前記サブチャンネルの状態がよくない場合には前記サブチャンネルに対して前記設定されたパイロット搬送波の数を増加させる過程と、
前記増加または減少した数だけのパイロット搬送波が伝送される位置を決定し、その決定された位置に前記増加または減少した数だけのパイロット搬送波を割り当てる過程と、
前記割り当てられたパイロット搬送波を前記サブチャンネルを通じて伝送する過程とを含むことを特徴とする方法。
【請求項５】
前記サブチャンネルの状態は前記サブチャンネルを通じて受信されるパイロット搬送波のビット誤り率を測定することにより判断される請求項４記載の方法。
【請求項６】
前記サブチャンネルの状態は前記サブチャンネルを通じて受信されるパイロット搬送波の電力を測定することにより判断される請求項４記載の方法。
【請求項７】
複数の端末機と基地局を含み、前記端末機のそれぞれが少なくとも一つのサブチャンネルを通じて前記基地局に接続する直交周波数分割多重接続(ＯＦＤＭＡ)通信システムで該当するサブチャンネルにパイロット搬送波を前記基地局によって割り当てる装置において、
前記サブチャンネルの状態を測定する測定器と、
前記サブチャンネルの状態がよいと測定された場合には前記サブチャンネルに対して予め設定されたパイロット搬送波の数を減少させることに決定し、前記サブチャンネルの状態がよくないと測定された場合には前記サブチャンネルに対して前記設定されたパイロット搬送波の数を増加させることに決定する決定器と、
前記決定された位置に前記増加または減少した数だけのパイロット搬送波を割り当て、前記割り当てられたパイロット搬送波を前記サブチャンネルを通じて伝送のための出力する割当器とを含むことを特徴とする装置。
【請求項８】
前記測定器は、前記サブチャンネルを通じて受信されるパイロット搬送波のビット誤り率を測定することにより前記サブチャンネルの状態を測定する請求項７記載の装置。
【請求項９】
前記測定器は、前記サブチャンネルを通じて受信されるパイロット搬送波の電力を測定することにより前記サブチャンネルの状態を測定する請求項７記載の装置。
【発明の詳細な説明】
【技術分野】
【０００１】
本発明は直交周波数分割多重(Orthogonal Frequency Division Multiplexing：以下、“ＯＦＤＭ”とする)通信システムに関するもので、特に直交周波数分割多重接続(Orthogonal Frequency Division Multiple Access：以下、“ＯＦＤＭＡ”とする)方式のためにパイロット搬送波(pilot carrier)を適応的に割り当てる方法及び装置に関するものである。 
【背景技術】
【０００２】
一般に、ＯＦＤＭＡ方式を使用する通信システム(以下、“ＯＦＤＭＡシステム”とする)では、並列化された送信データを相互直交性を有するＮused個の搬送波周波数に乗せて伝送する。このとき、伝送する搬送波の両端には大きさが０であるＮguard個の搬送波を保護区間(guard interval)に挿入し、結果的にＮFFT(＝Ｎused＋Ｎguard)個の搬送波を利用してデータを伝送するようになる。Ｎused個の搬送波は（Ｎused-Ｎpilot）個のデータ搬送波とＮpilot個のパイロット搬送波で構成される。データ搬送波はデータを伝送する搬送波で、パイロット搬送波は送受信端で公知のパイロット信号を伝送する搬送波であって、チャンネルを通るときにこの搬送波位相の歪み程度に基づいてトラヒックチャンネルを推定するようになる。したがって、パイロット搬送波位相の歪み程度が小さい場合にはパイロット搬送波の数か少なくてもチャンネル推定ができるが、位相の歪み程度が大きい場合にはパイロット搬送波の数を増加させなければ満たすチャンネル推定性能が得られない。
【０００３】
また、ＯＦＤＭＡ方式ではＮused個の搬送波がＮsubch個のサブチャンネルに分けられる。１つのサブチャンネルは１名の加入者が接続できるサブチャンネルの最小単位で、１名の加入者は１つあるいはそれ以上のサブチャンネルを通じてデータを伝送することができる。一方、１つのサブチャンネルはＮsubcarrier個の搬送波で構成される。すなわち、ＯＦＤＭＡ方式で１名の加入者が一つのサブチャンネルに接続すれば、最大Ｎ(＝Ｎsubch)名の加入者がサブチャンネルを使用することもできるので、加入者の数を増加することができる。
【０００４】
このようなＯＦＤＭＡの長所により高速データ伝送システム、例えばＤＡＢ(Digital Audio Broadcasting)、ＤＶＢ(Digital Video Broadcasting)、ＤＴＴＢ(Digital Terrestrial Television Broadcasting)、無線ＬＡＮ(Wireless Local Area Network)、無線ＡＴＭ(Wireless Asynchronous Transfer Mode)などのＯＦＤＭ無線通信システムが開発されている。もちろん、これらＯＦＤＭＡ方式で各加入者にパイロット副搬送波を割り当てる技術は必修的に要求される事項である。 
【０００５】
また、ＡＤＳＬ(Asymmetric Digital Subscriber Line)、ＶＤＳＬ(Very-high bit rate Digital Subscriber Line) などのＤＭＴ(Discrete Multi-Tone)方式を採用するディジタル有線通信システムでもパイロット副搬送波を割り当てる技術は必修的要求事項である。
【０００６】
図１は典型的なＯＦＤＭＡ方式を周波数領域で示すものであって、サブチャンネルが３つである場合の例である。図１において、１つのサブチャンネル１０１、１０２、または１０３は前述したように１名の加入者が接続できる最小単位で、データ搬送波及びパイロット搬送波が分けられてＮsubch個のサブチャンネルを構成する。そして、保護区間１０４は信号が自然に減少するようにしてレンガ壁(brick wall)状の波形を作り、隣接する接続チャンネルに干渉を与えないようにして境界をなす役割をする。一方、ＤＣ副搬送波１０５は中心を取るのに使用される。
【０００７】
図１を参照すれば、全体チャンネルはサブチャンネル１(１０１)、サブチャンネル２(１０２)、サブチャンネル３(１０３)に論理的区分がなされており、各サブチャンネルはそれぞれ異なる搬送波で構成されている。全体チャンネルが、図１に示したように各サブチャンネルに分けられた理由は、多数の使用者に多重接続が可能なようにして多くの加入者を収容できるためである。 
【０００８】
図２には、ＯＦＤＭＡ方式で搬送波がサブチャンネルでどのように構成されるかに対する従来の搬送波割当方法を示す。図２に示すような搬送波をサブチャンネルで構成するための特定方程式を利用する。この特定式を用いて位置が可変されたパイロット搬送波２０１の位置を定めてから、データ搬送波２０２の位置を定めてサブチャンネルを構成する。また、位置が固定のパイロット搬送波２０３は上記のように可変パイロット搬送波２０１の位置とデータ搬送波２０２の位置との間に予め定められた位置に挿入される。  
【０００９】
図２を説明すれば、シンボル１(２０４)を伝送するために可変位置を有するパイロット搬送波２０１を選択して挿入する。このとき、インデックス２０５は各搬送波が表示されている論理的位置である。すなわち、実際には定められた周波数帯域の使用可能なＮused個の搬送波のうちサブチャンネルのデータ搬送波(Ｎsubch＿data個)とサブチャンネルの数だけ分けられているパイロット搬送波(Ｎsubch＿pilot個)のうちデータ伝送のための特定サブチャンネルを選択したものである。したがって、１名の使用者に割り当てられたサブチャンネルは全体周波数帯域に(Ｎsubch＿data＋Ｎsubch＿pilot)個の搬送波を含む形態である。そこで、シンボル１(２０４)は、０、１３、２７、４０番目には可変位置のパイロット搬送波２０１が、２６番目には固定位置のパイロット搬送波２０３が位置するようになり、残りの位置にはデータ搬送波２０２が位置するようになる。加入者がシンボル１を伝送する場合には、パイロット搬送波の論理的な位置は同じであっても、実際の周波数帯域ではすべての加入者が異なるサブチャンネルに異なる搬送波を使用して伝送する。すなわち、搬送波をサブチャンネルで構成する方程式は加入者の数に依存するので、各加入者は他の位置の搬送波で構成されたサブチャンネルを有するようになる。 
【００１０】
上記ＮFFTの大きさに関係なくＯＦＤＭＡ方式はサブチャンネルを通じて加入者が接続するので、サブチャンネル数だけデータ搬送波だけでなくパイロット搬送波も分けられる。このとき、ＯＦＤＭＡを使用してもパイロット搬送波の数は固定されている。したがって、サブチャンネル状態がよいときには問題とならないが、サブチャンネルの状態が悪い場合には固定した数字のパイロットチャンネルを利用してトラヒックチャンネルの正確な位相誤差を推定できない場合が発生する。このような場合、トラヒックチャンネルの誤差推定が難しいので、チャンネル推定の性能が低下するという問題点があった。 
【発明の開示】
【発明が解決しようとする課題】
【００１１】
したがって上記のような問題点を解決するために本発明の目的は、ＯＦＤＭ通信システムで同時に接続する加入者のパイロット搬送波を利用し、その加入者が接続したサブチャンネルの状態を推定し、これに基づいて各加入者に割り当てるためのパイロット搬送波の数を適応的に割り当てる方法及び装置を提供することにある。
【００１２】
また本発明の目的は、ＯＦＤＭＡ方式を使用する通信システムで多くの加入者が接続されている状況でよい環境のサブチャンネルに接続した加入者にはパイロット搬送波の数を減少して電力消耗を低減させ、悪い環境のサブチャンネルに接続した加入者にはパイロット搬送波の数を増加しても位相誤差推定性能を向上させることができる適応的パイロット搬送波割当方法及び装置を提供することにある。
【課題を解決するための手段】
【００１３】
このような目的を達成するための本発明は、複数の端末機と基地局を含み、前記端末機のそれぞれが少なくとも一つのサブチャンネルを通じて前記基地局に接続する直交周波数分割多重接続(ＯＦＤＭＡ)通信システムで該当するサブチャンネルにパイロット搬送波を前記基地局によって割り当てる方法において、前記サブチャンネルの状態を判断する過程と、前記サブチャンネルの状態がよい場合には前記サブチャンネルに対して予め設定されたパイロット搬送波の数を減少させて割り当てる過程と、前記サブチャンネルの状態がよくない場合には前記サブチャンネルに対して前記設定されたパイロット搬送波の数を増加させて割り当てる過程とを含むことを特徴とする。また、複数の端末機と基地局を含み、前記端末機のそれぞれが少なくとも一つのサブチャンネルを通じて前記基地局に接続する直交周波数分割多重接続(ＯＦＤＭＡ)通信システムで該当するサブチャンネルにパイロット搬送波を前記基地局によって割り当てる装置において、 前記サブチャンネルの状態を測定する測定器と、前記サブチャンネルの状態がよいと測定された場合には前記サブチャンネルに対して予め設定されたパイロット搬送波の数を減少させることに決定し、前記サブチャンネルの状態がよくないと測定された場合には前記サブチャンネルに対して前記設定されたパイロット搬送波の数を増加させることに決定する決定器と、前記決定された位置に前記増加または減少した数だけのパイロット搬送波を割り当て、前記割り当てられたパイロット搬送波を前記サブチャンネルを通じて伝送のための出力する割当器とを含むことを特徴とする。
【発明の効果】
【００１４】
本発明は、ＯＦＤＭ通信システムなどでＯＦＤＭＡ接続方式を使用するときにサブチャンネルに割り当てられるパイロット搬送波を適応的に変化して割り当てる。サブチャンネル状況によりサブチャンネルに割り当てられるパイロット搬送波の数を変化させることにより、よい環境のサブチャンネルに接続した加入者はパイロット搬送波の数を減少することによって電力消耗を減少することができる。また、悪い環境のサブチャンネルに接続した加入者はパイロット搬送波の数を増加することによって位相誤差性能を増加させることができる。 
【発明を実施するための最良の形態】
【００１５】
以下、本発明の望ましい実施形態を添付の図面を参照して詳細に説明する。
図面の説明において、同一の構成要素に対してはできるだけ同一の参照番号及び参照符号を使用する。また、関連した公知機能または構成に関する具体的な説明が本発明の要旨を不明にする恐れのある場合には、その詳細な説明を省略する。
本発明は、ＯＦＤＭ通信システムでＯＦＤＭＡ方式の位相誤差推定性能を向上させうるパイロット搬送波
(pilot carrier)のスケジューリング、すなわち各サブチャンネルにパイロット搬送波を割り当てる方法に関するものである。前述したように、従来のＯＦＤＭシステムでＯＦＤＭＡ方式は各サブチャンネルのチャンネル状況に関係なくすべてのサブチャンネルに固定個数のパイロット搬送波を割り当てる。したがって、チャンネル環境がよいサブチャンネルの場合、パイロット搬送波による電力消耗が発生し、チャンネル環境が悪いサブチャンネルの場合にチャンネル推定のためのパイロット搬送波が足りないようになる。したがって本発明は、各サブチャンネルのチャンネル環境により適応的にパイロット搬送波を変化させるために、ＯＦＭＤＡ通信システムの送信端で一つのサブチャンネルが、チャンネル環境がよい場合にはパイロット搬送波を少なく割り当て、チャンネル環境が悪い場合にはパイロット搬送波を多く割り当てる。それにより、悪いチャンネル環境のサブチャンネルも高い位相誤差推定性能を持つようにする。このような本発明は、ＯＦＤＭ通信システムで送信信号の設計及び無線通信網の物理階層プロトコル標準に使用される。
【００１６】
本発明によるパイロット搬送波割当方法の特徴は、次のようである。
（１）加入者が接続してパイロット搬送波を伝送するとき、パイロット搬送波を加入者が接続したサブチャンネル環境により適応的に割り当てて伝送する。
（２）  ＦＦＴサイズ（ＮFFT）やサブチャンネル割当方法や全体システムが使用できるパイロット搬送波の位置や数に関係なく、サブチャンネルの状態によりパイロット搬送波の数を適応的に変化する。 
（３）各サブチャンネルに割り当てられるパイロット搬送波の数を決定するとき、基地局に受信されるパイロット搬送波のビット誤り率(Bit Error Rate：ＢＥＲ)を予め設定されたしきい値と比較してパイロット搬送波を割り当てる。
（４）パイロット搬送波のビット誤り率をしきい値と比較するとき、ビット誤り率だけでなくパイロット搬送波のエネルギーやパワーをしきい値と比較する値で使用可能である。 
（５）基地局に受信されるパイロット搬送波のＢＥＲを予め設定されたしきい値と比較するとき、一つのしきい値を設定するか、あるいは多数のしきい値を設定するかに関係なくパイロット搬送波を割り当てる。
【００１７】
このような本発明はＯＦＤＭＡ方式において、各加入者に対してパイロット副搬送波を適応的に割り当て、位相誤差推定を行うことを示すが、ＤＭＴ(Discrete Multi-Tone)方式などに適用可能で、多様に変形して適用されることができる。
【００１８】
図３は、本発明によるＯＦＤＭ通信システムのＯＦＤＭＡ方式において加入者に適応的にパイロット搬送波を割り当てる原理を説明するものである。 
図３は一例を示すもので、サブチャンネルが４つで、各サブチャンネル当たり割り当てられたパイロット搬送波が２つで、すべて８つのパイロット搬送波がシステムに割り当てられて使用される場合を示す。伝送される搬送波の個数はＮdata＋Ｎpilotである。ここでは、図面の図示を単純化するために各サブチャンネルに割り当てられたデータ搬送波３０１は区分して表現しないことにする。各サブチャンネルに割り当てられたパイロット搬送波３０２、３０３、３０４、３０５は区分されている。各サブチャンネルに割り当てられたパイロット搬送波の数はたいてい２つである。しかし、図面を参照すれば、基地局に受信されるパイロット搬送波の状態により適応的にパイロット搬送波の数が変わることがわかる。すなわち、本発明はサブチャンネル３に割り当てられたパイロット搬送波３０４のＢＥＲが予め設定されたしきい値より低い場合は、サブチャンネル３に割り当てられたパイロット搬送波の数を１に減少し、サブチャンネル４のＢＥＲが一定のしきい値より高い場合にはサブチャンネル４に割り当てられたパイロット搬送波３０５の数を３つに増加させ、サブチャンネル１とサブチャンネル２のＢＥＲが予め設定された範囲内に含まれている場合には基本的に割り当てられるパイロット搬送波の数（例えば、２）だけを該当するサブチャンネルに割り当てる。前述したように、パイロット搬送波がチャンネル状態により適応的に変化して割り当てられることを一例を挙げて説明した。
【００１９】
図４は、本発明の実施形態によるＯＦＤＭ通信システムの受信端でパイロット搬送波を受信して報告された値により各サブチャンネルに適応的にパイロット搬送波を割り当てる動作の処理過程を示すフローチャートである。すなわち、基地局でパイロット搬送波を伝送し、これを端末機で受信し、その受信された値を報告した後、基地局はこの報告された値に基づいて各サブチャンネルごとに適応的にパイロット搬送波を割り当てる。ここでは、一つの使用者(user1)がＮuser１個のサブチャンネルを使用することを実施形態として示し、基本的に各サブチャンネルに２つのパイロット搬送波が割り当てられていると仮定する。また、全体サブチャンネルに割り当てられる全体パイロット搬送波の数と各サブチャンネルに割り当てるパイロット搬送波の数との関係は予め定められており、端末機と基地局すべてわかると仮定する。そこて、すべてのサブチャンネルのチャンネル環境がよくてもサブチャンネルのパイロット搬送波の数を減少させることができない。その反対の場合も同様である。すなわち、すべてのサブチャンネルのチャンネル環境が悪いとサブチャンネルのパイロット数字を継続して増加させることもできない。 
【００２０】
図４を参照すれば、ステップ４０１で受信端側で受信される各サブチャンネルに割り当てられたパイロット搬送波を利用して各サブチャンネルを推定し、そのサブチャンネルのＢＥＲを計算する。ステップ４０２ではサブチャンネルインデックスＬが１に設定される。このとき、サブチャンネルインデックスＬは後述されるステップ４０８及びステップ４０９からわかるように、Ｎuser１個の範囲内で設定可能である。Ｌ番目のサブチャンネルのＢＥＲLが予め設定されたしきい値ＢＥＲTH1より大きいと、すなわち図４のステップ４０３の検査結果、“Ｙｅｓ”に進行する場合、ステップ４０４ではＬ番目のサブチャンネルに割り当てられたパイロット数ＰＬを１だけ増加させる。Ｌ番目のサブチャンネルのＢＥＲLがしきい値ＢＥＲTH1より小さくしきい値ＢＥＲTH2 より大きいと、すなわちステップ４０５で“Ｙｅｓ”の場合にステップ４０６に進んでＬ番目のサブチャンネルに割り当てられたパイロット数ＰＬを維持する。また、Ｌ番目サブチャンネルのＢＥＲLがしきい値ＢＥＲTH2より小さいと、すなわち図４のステップ４０５で“Ｎｏ”の場合、ステップ４０７ではＬ番目のサブチャンネルに割り当てられたパイロット数ＰＬを減少させる。ステップ４０３〜ステップ４０７の動作は、すべてのサブチャンネルに対して行われる。すなわち、ステップ４０３〜ステップ４０７の動作は、ステップ４０８でサブチャンネルインデックスＬがＬuser1と同一、あるいは大きいものと判断されるまで遂行される。サブチャンネルインデックスＬが４より小さいと判断された場合にはステップ４０９でサブチャンネルインデックスの値を１だけ増加させる動作が遂行され、ステップ４０３に戻る。 
【００２１】
このようにすべてのサブチャンネルに対してそのチャンネルを推定するためにＢＥＲを計算し、その計算結果によりパイロット搬送波が割り当てられる。その後、ステップ４１０ではパイロット搬送波が伝送される位置が定められ、ステップ４１１ですべてのデータ搬送波とパイロット搬送波がサブチャンネルに乗せて伝送される。このとき、サブチャンネルのパイロット搬送波個数と位置情報を共に加入者に伝送される。 
【００２２】
図５は、本発明の実施形態により適応的に割り当てられたパイロット搬送波が所定の加入者(移動局または端末機)に受信される場合の処理過程を示すフローチャートである。この過程は、図４に示したように基地局が各サブチャンネルに割り当てるパイロット搬送波の個数と位置情報をデータと共に伝送することにより遂行するようになる。
【００２３】
図５を参照すれば、ステップ５０１で端末機はサブチャンネルを受信する。このとき、サブチャンネルにはデータと共に割り当てられたパイロット搬送波の個数と位置情報が含まれている。ステップ５０２ではサブチャンネルインデックスＬが１に設定される。このとき、サブチャンネルインデックスＬは前述した図４及び後述するステップ５０４及びステップ５０５からわかるように、１〜４の範囲にある値で所定の加入者に割り当てられたサブチャンネル数を意味する。ステップ５０３では該当するサブチャンネルに割り当てられたパイロット搬送波の伝送個数と位置情報が推定される。このようなステップ５０３の動作はすべてのサブチャンネルに対して行われる。すなわち、ステップ５０３の動作はステップ５０４でサブチャンネルインデックスＬがＬuser1と同一で、あるいは大きいと判断されるまで遂行される。サブチャンネルインデックスＬがＬuser1より小さいと判断される場合には段階５０５でサブチャンネルインデックスの値を１増加させる動作が遂行され、ステップ５０３に戻る。すべてのサブチャンネルに対してステップ５０３が遂行された後にステップ５０６では推定されたパイロット搬送波の個数及び位置情報を利用してパイロット搬送波を受信する動作が遂行される。
【００２４】
図６は、本発明の実施形態により基地局でサブチャンネルの状態を推定して適応的にパイロット搬送波を割り当てる装置を示す構成図である。図６を参照すれば、基地局は基本的に割り当てられたパイロット搬送波を通じて端末機が伝送した信号を図示しない受信器６０１によって受信する。ＢＥＲ測定器６０２は各サブチャンネルに対してＢＥＲを測定する。参照符号６０３のＬはサブチャンネルインデックスで、前記ＢＥＲ測定器６０２により各サブチャンネルに対してＢＥＲが計算されることを示す。ＢＥＲ比較器６０４は前記測定されたＢＥＲと予め設定されたＢＥＲしきい値(ＢＥＲTH1, ＢＥＲTH2)を比較し、その結果にしたがって各サブチャンネルの状態がよいか悪いかを判断する。その後、パイロットの個数及び位置決定器６０５は比較器６０４の比較結果により、各サブチャンネルに割り当てられるパイロット搬送波の個数と位置を決定する。各サブチャンネルによりパイロット搬送波の個数と位置が決定されると、パイロット割当器６０６はパイロットの個数及び位置決定器６０５によって決定された結果に応じてパイロット搬送波を割り当てられる。このように割り当てられたパイロット搬送波は各サブチャンネル内のデータ搬送波及び割り当てられたパイロット搬送波の個数と位置情報とともに図示しない送信器６０７を通じて端末機に伝送される。
【００２５】
前述したように、本発明ではＯＦＤＭＡの接続時にパイロット搬送波を適応的にすべてサブチャンネルに使用可能なので、チャンネル推定に使用される位相誤差推定性能を向上させることができる。また、適応的にパイロット搬送波をサブチャンネルに割り当てることにより、サブチャンネル環境がよい加入者に対しては電力消耗を減少させ、サブチャンネル環境が悪い加入者に対しては電力消耗が増加しても位相誤差性能を増加させてチャンネル推定性能を向上させる特徴を有する。
【００２６】
一方、本発明の詳細な説明では具体的な実施形態について説明したが、本発明の範囲を外れない限り多様な変形が可能なことはもちろんである。したがって、本発明の範囲は上述した実施形態に局限して定められてはいけないし、特許請求の範囲だけでなくこの特許請求の範囲と均等なものにより定められなければならない。
【図面の簡単な説明】
【００２７】
【図１】典型的なＯＦＤＭＡ方式を周波数領域で示す図。
【図２】従来技術によりＯＦＤＭＡ方式のサブチャンネルに搬送波を割り当てる方法を示す図。
【図３】本発明の実施形態により適応的にサブチャンネルにパイロット搬送波を割り当てる原理を説明するための図。
【図４】本発明の実施形態によりパイロット搬送波を適応的に割り当てる動作の処理過程を示すフローチャート。
【図５】本発明の実施形態により加入者が適応的に割り当てられたパイロット搬送波を受信する動作の処理過程を示すフローチャート。
【図６】本発明の実施形態によりパイロット搬送波を適応的に割り当てる装置の構成を示す図。
【符号の説明】
【００２８】
３０２、３０３、３０４、３０５    パイロット搬送波
６０２    ＢＥＲ測定器
６０４    比較器
６０５    位置決定器
【図１】
2005520432.tif 000003
【図２】
2005520432.tif 000004
【図３】
2005520432.tif 000005
【図４】
2005520432.tif 000006
【図５】
2005520432.tif 000007
【図６】
2005520432.tif 000008
【国際調査報告】
2005520432.tif 000009